(57)【特許請求の範囲】
【請求項１】
高所作業における作業員の墜落を防止して作業の安全を確保するための安全帯としての胴ベルトを身に付け、身近に位置している部材と胴ベルトとをロープで連結して作業を行う際に、ハーネス式のベルトを用いてボルト・ナット等や工具類を収納した袋を作業員の前側に配置して保持する落下防止用装着具であって、
前記ハーネス式のベルトは、作業員の背中側で交差して作業員の両肩に掛ける一対の長ベルト体により構成され、一対の長ベルト体の先端側部分は、作業員の両肩を越えて作業員の腹側に配置された状態で袋を吊り下げ、一対の長ベルト体の後端側部分は、作業員の背中側から胴に巻き付くように作業員の腹側に配置された状態で接合するようにしてなり、
前記一対の長ベルト体は、略Ｘ状に形成された背当てパットを介して、交差した状態を維持するように取り付けられ、
前記作業員の前側に配置する袋は、その開口部に、ファスナーを介して開閉自在に取り付けられている蓋と、この袋の上端部に設けられ、前記一対の長ベルト体の先端側部分に設けられた一対のバックルに嵌め込まれることで、長ベルト体に袋を吊り下げる一対の差込プレートとを備え、
前記袋に紐状部を介して直線状の切り込み部と円形状の切り欠き部を連接したものが対向して２個設けられた筒状の開口部を有する柔軟性素材を用いた保持体を取り付け、袋内において当該保持体の開口部にボルト・ナット等を嵌め入れてから保持体を手に持って袋の外に持ち出し、組み付け作業を行うことが可能なように前記袋の外側に紐状部の一端が取り付けられ、紐状部の他端が保持体に取り付けられていることを特徴とするボルト・ナット等や工具類の落下防止用装着具。
【請求項２】
高所作業における作業員の墜落を防止して作業の安全を確保するための安全帯としての胴ベルトを身に付け、身近に位置している部材と胴ベルトとをロープで連結して作業を行う際に、ハーネス式のベルトを用いてボルト・ナット等や工具類を収納した袋を作業員の前側に配置して保持する落下防止用装着具であって、
前記ハーネス式のベルトは、作業員の背中側で交差して作業員の両肩に掛ける一対の長ベルト体により構成され、一対の長ベルト体の先端側部分は、作業員の両肩を越えて作業員の腹側に配置された状態で袋の上部に連結し、一対の長ベルト体の後端側部分は、作業員の背中側から胴に巻き付くように作業員の腹側に配置された状態で袋の下部に連結するようにしてなり、
前記一対の長ベルト体は、略Ｘ状に形成された背当てパットを介して、交差した状態を維持するように取り付けられ、
前記一対の長ベルト体の先端側部分は、自身を接合する補助ベルトを備え、
前記作業員の前側に配置する袋は、その開口部に、ファスナーを介して開閉自在に取り付けられている蓋と、この袋の上端部に設けられ、前記一対の長ベルト体の先端側部分に設けられた第１、第２のバックルに嵌め込まれる第１、第２の差込プレートと、前記袋の下部に設けられ、前記一対の長ベルト体の後端側部分に設けられた第３、第４のバックルに嵌め込まれる第３、第４の差込プレートとを備え、
前記袋に紐状部を介して直線状の切り込み部と円形状の切り欠き部を連接したものが対向して２個設けられた筒状の開口部を有する柔軟性素材を用いた保持体を取り付け、袋内において当該保持体の開口部にボルト・ナット等を嵌め入れてから保持体を手に持って袋の外に持ち出し、組み付け作業を行うことが可能なように前記袋に紐状部の一端が取り付けられ、紐状部の他端が保持体に取り付けられていることを特徴とするボルト・ナット等や工具類の落下防止用装着具。
【発明の詳細な説明】
【技術分野】
【０００１】
本発明は、送電鉄塔の組み立て作業等の種々の高所作業において、作業員がハーネス式のベルトを装着することにより所定の袋を作業員の前側に配置して、作業員がボルト・ナット等や工具類を落下させてしまう事態の発生を確実に阻止すると共に、高所作業における作業効率を飛躍的に向上させることのできるボルト・ナット等や工具類の落下防止用装着具に関するものである。
【背景技術】
【０００２】
送電鉄塔の組み立て作業等の種々の高所作業においては、作業員の墜落を防止して作業の安全を確保するために、作業員は所定の安全帯を身に付けて作業を行うのが一般的である。
【０００３】
この安全帯には、様々な構造のものが存在する。例えば、胴ベルト型安全帯は、図１２に示すように、バックルを備えている胴ベルト１００に幅広の補助ベルトを取り付けると共に、先端部にカラビナ１０１を有するロープ１０２の基端部を、所定の接続具を介して胴ベルト１００に連結している。
【０００４】
そして、図１２に示すように、作業員Ｓは補助ベルトを腰に当てるようにして胴ベルト１００を装着し、カラビナ１０１を身近に位置している部材に引っ掛けて、種々の高所作業を行っている。
【０００５】
このような胴ベルト型安全帯では、補助ベルトが取り付けられている胴ベルト１００の位置に、ボルト・ナット等や工具類が収納される腰袋１０３や、ペンチケース１０４等が必要に応じて取り付けられている。
【０００６】
また、腰袋１０３が２本のベルト通しを備え、このベルト通しを介して胴ベルト１００に腰袋１０３が取り付けられるものとして、特許文献１に示すものが存在する。
【特許文献１】実用新案登録第３０９８１４６号公報
【発明の開示】
【発明が解決しようとする課題】
【０００７】
しかしながら、上記した胴ベルト型安全帯に取り付けられている腰袋１０３や、特許文献１に示す腰袋１０３は、いずれも胴ベルト１００を介して作業員Ｓの背中側に配置されていることから、作業の際は、図１２に示すように、作業員Ｓは腕を後ろに回して腰袋１０３に手を入れ、手探りでボルト・ナット等や工具類を選択して摘み取ることとなり、腰袋１０３からのボルト・ナット等や工具類の取り出しに時間を費やしていた。
【０００８】
また、作業員Ｓは手袋をしていることから、腰袋１０３に手を入れてボルト・ナット等や工具類を摘み取るときに、手袋の一部にボルト・ナット等や工具類が引っ掛ってしまうことがある。そして、腰袋１０３が胴ベルト１００を介して作業員Ｓの背中側に配置されているため、手袋の一部にボルト・ナット等や工具類が引っ掛っている状況を視認できず、そのままボルト・ナット等や工具類が落下してしまう事態が生じていた。
【０００９】
さらに、作業員Ｓは何度も腕を後ろに回し、腰袋１０３に手を入れてボルト・ナット等や工具類を摘み取るため、作業員Ｓが疲労してしまう要因となっていた。
【００１０】
また、複数のボルト・ナット等や工具類を腰袋１０３に入れるとそれだけでも相当の重量になり、このような重い腰袋１０３を胴ベルト１００を介して作業員Ｓの腰で支持することから、この点においても作業員Ｓが疲労してしまう要因となっていた。
【００１１】
すなわち、作業員Ｓは、胴ベルト１００が備えているカラビナ１０１を身近に位置している部材に引っ掛けて種々の高所作業を行うが、作業員Ｓの体重を胴ベルト１００によりある程度支持した状態となることが多く、それだけでも作業員Ｓの腰に負担を与えていることとなる。
【００１２】
このような状態でありながら、さらに重い腰袋１０３を胴ベルト１００に取り付けると、作業姿勢によっては作業員Ｓの腰にさらに大きな負担を与えてしまい、作業員Ｓが短時間の高所作業で疲労してしまうのである。
【００１３】
この他、図１３に示すように、ボルト・ナット等や工具類が収納されている袋１０５が、送電鉄塔等の所定の位置に吊り下げられている場合もあるが、このような場合にも、袋１０５に手を入れてボルト・ナット等や工具類を摘み取るときに、手袋の一部にボルト・ナット等や工具類が引っ掛ってしまい、これらが落下してしまう事態が生じていた。
【００１４】
また、袋１０５が吊り下げられている場合、送電鉄塔の組み立て作業現場等において袋１０５の吊り下げ位置が限定されることから、ときとして作業員Ｓに無理な姿勢での作業を強いることとなり、作業員Ｓが疲労してしまう事態も生じていた。
【００１５】
そこで、本発明は如上のような従来存した諸事情に鑑み創出されたもので、所定の袋を安全帯としての胴ベルトに取り付けるのではなく、胴ベルトとは別のハーネス式のベルトを作業員が装着し、このハーネス式のベルトに袋を取り付けて作業員の前側に袋を配置することとし、袋に手を入れてボルト・ナット等や工具類を摘み取るときにこれらが落下してしまう事態の発生を確実に阻止すると共に、重い袋を作業員の両肩で支持して作業員の疲労を軽減し、高所作業における作業効率を飛躍的に向上させることのできるボルト・ナット等や工具類の落下防止用装着具を提供することを目的とする。
【課題を解決するための手段】
【００１６】
本発明は、高所作業における作業員の墜落を防止して作業の安全を確保するための安全帯としての胴ベルトを身に付け、身近に位置している部材と胴ベルトとをロープで連結して作業を行う際に、ハーネス式のベルトを用いてボルト・ナット等や工具類を収納した袋を作業員の前側に配置して保持する落下防止用装着具であって、前記ハーネス式のベルトは、作業員の背中側で交差して作業員の両肩に掛ける一対の長ベルト体により構成され、一対の長ベルト体の先端側部分は、作業員の両肩を越えて作業員の腹側に配置された状態で袋を吊り下げ、一対の長ベルト体の後端側部分は、作業員の背中側から胴に巻き付くように作業員の腹側に配置された状態で接合するようにしてなり、前記一対の長ベルト体は、略Ｘ状に形成された背当てパットを介して、交差した状態を維持するように取り付けられ、前記作業員の前側に配置する袋は、その開口部に、ファスナーを介して開閉自在に取り付けられている蓋と、この袋の上端部に設けられ、前記一対の長ベルト体の先端側部分に設けられた一対のバックルに嵌め込まれることで、長ベルト体に袋を吊り下げる一対の差込プレートとを備え、前記袋に紐状部を介して直線状の切り込み部と円形状の切り欠き部を連接したものが対向して２個設けられた筒状の開口部を有する柔軟性素材を用いた保持体を取り付け、袋内において当該保持体の開口部にボルト・ナット等を嵌め入れてから保持体を手に持って袋の外に持ち出し、組み付け作業を行うことが可能なように前記袋の外側に紐状部の一端が取り付けられ、紐状部の他端が保持体に取り付けられていることで、上述した課題を解決した。
【００１７】
本発明は、高所作業における作業員の墜落を防止して作業の安全を確保するための安全帯としての胴ベルトを身に付け、身近に位置している部材と胴ベルトとをロープで連結して作業を行う際に、ハーネス式のベルトを用いてボルト・ナット等や工具類を収納した袋を作業員の前側に配置して保持する落下防止用装着具であって、前記ハーネス式のベルトは、作業員の背中側で交差して作業員の両肩に掛ける一対の長ベルト体により構成され、一対の長ベルト体の先端側部分は、作業員の両肩を越えて作業員の腹側に配置された状態で袋の上部に連結し、一対の長ベルト体の後端側部分は、作業員の背中側から胴に巻き付くように作業員の腹側に配置された状態で袋の下部に連結するようにしてなり、前記一対の長ベルト体は、略Ｘ状に形成された背当てパットを介して、交差した状態を維持するように取り付けられ、前記一対の長ベルト体の先端側部分は、自身を接合する補助ベルトを備え、前記作業員の前側に配置する袋は、その開口部に、ファスナーを介して開閉自在に取り付けられている蓋と、この袋の上端部に設けられ、前記一対の長ベルト体の先端側部分に設けられた第１、第２のバックルに嵌め込まれる第１、第２の差込プレートと、前記袋の下部に設けられ、前記一対の長ベルト体の後端側部分に設けられた第３、第４のバックルに嵌め込まれる第３、第４の差込プレートとを備え、前記袋に紐状部を介して直線状の切り込み部と円形状の切り欠き部を連接したものが対向して２個設けられた筒状の開口部を有する柔軟性素材を用いた保持体の開口部を取り付け、袋内において当該保持体にボルト・ナット等を嵌め入れてから保持体を手に持って袋の外に持ち出し、組み付け作業を行うことが可能なように前記袋に紐状部の一端が取り付けられ、紐状部の他端が保持体に取り付けられていることで、同じく上述した課題を解決した。
【発明の効果】
【００２２】
本発明は、所定の袋を安全帯としての胴ベルトに取り付けるのではなく、胴ベルトとは別のハーネス式のベルトを作業員が装着し、このハーネス式のベルトに袋を取り付けて作業員の前側に袋を配置することに特徴を有している。
【００２３】
すなわち、本発明は、ハーネス式のベルトを用いて所定の袋を作業員の前側に配置できることから、作業員は袋に手を入れて視認しながらボルト・ナット等や工具類を選択して摘み取ることができ、袋からのボルト・ナット等や工具類の取り出しが極めて容易となる。
【００２４】
そのため、送電鉄塔の組み立て作業等の種々の高所作業において、作業員は袋から所望のボルト・ナット等や工具類を即座に取り出して、全体の作業時間を大幅に短縮することができる。
【００２５】
また、作業員が袋に手を入れてボルト・ナット等や工具類を摘み取るときに、手袋の一部にボルト・ナット等や工具類が引っ掛っている場合には、その状況を作業員が直ちに視認して、手袋に引っ掛っていボルト・ナット等や工具類を袋内に戻すことができる。
【００２６】
そのため、種々の高所作業において、ボルト・ナット等や工具類が落下してしまう事態の発生を確実に阻止することができる。
【００２７】
さらに、全ての作業を、作業員が自由に腕を動かすことができる作業員の前側で行うため、長時間の高所作業においても作業員が疲労することがない。
【００２８】
この他、所定の袋を従来のように安全帯としての胴ベルトに取り付けていないため、作業員の腰に過度の負担を与えることがない。
【００２９】
すなわち、ハーネス式のベルトは、作業員の背中側で交差して作業員の両肩に掛ける一対の長ベルト体により構成され、一対の長ベルト体の先端側部分は、作業員の両肩を越えて作業員の腹側に配置された状態で袋を吊り下げることから、袋の荷重を作業員の両肩により楽に支持できる。
【００３０】
このとき、ベルト体の2点により袋を吊り下げることから、作業員の前側で袋の移動が比較的に容易となり、例えば、作業員が腹這ったような状態で作業を行うとき等に適したものとなる。
【００３１】
また、一対の長ベルト体の後端側部分は、作業員の背中側から胴に巻き付くように作業員の腹側に配置された状態で接合していることから、作業員が装着しているハーネス式のベルトが不意に外れて袋自体が落下してしまう事態の発生も阻止することができる。
【００３２】
さらに、一対の長ベルト体の先端側部分は、作業員の両肩を越えて作業員の腹側に配置された状態で袋の上部に連結し、一対の長ベルト体の後端側部分は、作業員の背中側から胴に巻き付くように作業員の腹側に配置された状態で袋の下部に連結したときには、ベルト体の４点により袋を安定した状態で作業員の前側に配置することができる。
【００３３】
また、一対の長ベルト体は、略Ｘ状に形成された背当てパットを介して、交差した状態を維持するように取り付けられていることから、作業員が装着しているハーネス式のベルトが不意に両肩から外れてしまうことがない。また、背当てパットが作業員の両肩と背中に当たって、袋の荷重を作業員が楽に支持でき、比較的に長い連続した高所作業にも耐え得ることになる。
【００３４】
加えて、一対の長ベルト体の先端側部分は、自身を接合する補助ベルトを備えていることから、作業員が装着しているハーネス式のベルトが不意に外れてしまうことがない。
【００３５】
また、作業員の前側に配置する袋は、その開口部に、ファスナーを介して開閉可能に取り付けられている蓋を備えていることから、例えば、作業員が移動するときに蓋を閉じることにより、袋からボルト・ナット等や工具類が飛び出して落下してしまう事態の発生を阻止できる。
【００３６】
さらに、作業員の前側に配置する袋に、種々のボルト・ナット等を嵌め入れてその落下を防止する保持体を、紐状部を介して取り付けたときには、袋内においてボルト・ナット等を嵌め入れてから保持体を袋の外に移動させた後、誤って保持体を落としてしまった場合であっても、保持体が紐状部を介して袋に取り付けられていることから、保持体の落下が阻止される。そのため、この保持体を介して、ボルト・ナット等が落下してしまう事態の発生をより確実に阻止することができる。
【００３７】
また、袋に保持体を複数取り付けたときには、ボルト・ナット等の落下を防止した状態での作業性を向上させることができる。
【００３８】
このように、種々の高所作業において、ボルト・ナット等や工具類が落下してしまう事態の発生を確実に阻止することから、落下対策として落下防止ネットを設置する必要もなくなり、その設置工事費用を削減することができる。
【００３９】
加えて、袋を安全帯としての胴ベルトに取り付けるのではなく、胴ベルトとは別のハーネス式のベルトを作業員が装着し、このハーネス式のベルトに袋を取り付けているため、作業員は多くのボルト・ナット等や工具類が収納されている重い袋であっても、比較的に楽に袋を吊り下げることができる。
【００４０】
その結果、ボルト・ナット等や工具類が収納されている袋を送電鉄塔等の所定の位置に吊り下げておく必要がなくなり、それに伴って袋からボルト・ナット等や工具類が落下してしまう事態や、作業現場において袋の吊り下げ位置が限定されることから作業員に無理な姿勢での作業を強いる等の弊害も生じることがない。
【００４１】
この他、紐部材の両端部にカラビナを取り付けている安全ロープを、合わせて利用することもできる。例えば、ベルト体の４点を袋に連結している状態において、袋に安全ロープのカラビナを連結し、安全ロープの他のカラビナを作業員の身近に位置している部材に引っ掛けて、作業員の体重を袋を介してハーネス式のベルトにより支持した状態としたときには、ハーネス式のベルトを、作業員の墜落を防止する安全帯としても活用することができるのである。
【発明を実施するための最良の形態】
【００４２】
以下に、本発明を実施するための最良の形態を、図面を参照して説明する。
【００４３】
本発明は、図１乃至図４に示すように、ハーネス式のベルト１を用いて所定の袋２を作業員Ｓの前側に配置することができる、ボルト・ナット等や工具類の落下防止用装着具に関するものである。
【００４４】
ハーネス式のベルト１は、図１に示すように、作業員Ｓの背中側で交差して作業員Ｓの両肩に掛ける一対の長ベルト体３により構成されている。
【００４５】
一対の長ベルト体３の先端側部分は、図４に示すように、作業員Ｓの肩を越えて作業員Ｓの腹側に配置された状態で袋２を吊り下げている。また、一対の長ベルト体３の後端側部分は、作業員Ｓの背中側から胴に巻き付くように作業員Ｓの腹側に配置された状態で接合している。
【００４６】
個々の長ベルト体３は、図１に示すように、先端側部分に折り返しバックル４を取り付けている。この折り返しバックル４には、所定の長さの折り返し帯５が挿通して折り返し状に取り付けられている。この折り返し帯５には、方形の筒状に形成されたベルト通し６が取り付けられている。
【００４７】
そして、ベルト通し６を通過している一方の帯片の先端部に、バックル7を設けている。また、ベルト通し６を通過しているもう一方の帯片の先端部に、環状部８を設けている。この折り返しバックル４は、個々の長ベルト体３の長さを調節する機能も有している。
【００４８】
さらに、一方の長ベルト体３の基端部にバックル7を設けている。また、他方の長ベルト体３の基端部にバックル挿通板９を設けている。
【００４９】
そして、一対の長ベルト体３は、略Ｘ状に形成された背当てパット１０を介して、交差した状態を維持するように取り付けられている。また、背当てパット１０の中心部には、一対の長ベルト体３の交差した状態を維持する挿通保持体１１を設けている。さらに、背当てパット１０は、図２に示すように、作業員Ｓの両肩と背中に当たる面の全体がメッシュ状部材を用いて形成され、４箇所に方形状の滑り止め片１２を固定している。また、背当てパット１０は、クッション部材を内蔵しており、背当てパット１０全体が柔軟性を有している。尚、背当てパット１０の他面側と挿通保持体１１の構成については、後に詳述する。
【００５０】
このように形成された一対の長ベルト体３の基端部同士は、互いに向かい合った状態で接合される。具体的には、図１に示すように、一方の長ベルト体３の折り返し帯５に設けている環状部８に、他方の長ベルト体３の基端部を内向きに通過させ、一対の長ベルト体３の基端部同士を互いに向かい合った状態とする。そして、一方の長ベルト体３に設けているバックル7に、他方の長ベルト体３に設けているバックル挿通板９を嵌め入れて、その基端部同士を接合するのである。
【００５１】
ハーネス式のベルト１を用いて作業員Ｓの前側に吊り下げる袋２は、図３に示すように、例えば、厚い布部材を用いて方形の箱状に形成されており、その開口部に、ファスナー１５を介して開閉可能に取り付けられている蓋１６を備えている。
【００５２】
また、蓋１６には、フック（ループ）状テープ１７を１枚設けている。さらに、袋２における開口部近傍の前壁部には、ループ（フック）状テープ１８を１枚設けている。
【００５３】
この他、袋２は、開口部近傍の後壁部に、２個の差込プレート１９を上向きに取り付けている。差込プレート１９は、所定幅の挿通孔を有し、この挿通孔を通って折り返している接続片２０を介して袋２に固定されている。
【００５４】
また、袋２の開口部近傍の側壁部のそれぞれに、カラビナを装着するカラビナ通し部２１を取り付けている。このカラビナ通し部２１は、所定の帯片を折り返して形成している。
【００５５】
さらに、袋２の開口部近傍の前壁部に、所定の間隔を開けて２個のＤ状環２２を取り付けている。このＤ状環２２は、Ｄ状環２２内を通って折り返している接続片２３を介して袋２に固定されている。
【００５６】
また、袋２の底部近傍の前壁部に、所定の間隔を開けて複数の水抜き孔２４を設けている。
【００５７】
作業員Ｓがボルト・ナット等や工具類の落下防止用装着具を使用するときは、まず、ハーネス式のベルト１を構成している一対の長ベルト体３のバックル7とバックル挿通板９を外した状態でベルト１を背負い、背当てパット１０の一部（後述する２個の保持片３１部分）を作業員Ｓの両肩に当てるようにして、他の背当てパット１０の全体を作業員Ｓの背中側に配置する。そして、図４に示すように、一対の長ベルト体３の先端側部分を、作業員Ｓの両肩を越えるようにして作業員Ｓの腹側に配置する。
【００５８】
また、一対の長ベルト体３の後端側部分を、作業員Ｓの背中側から胴に巻き付けるようにして作業員Ｓの腹側に配置し、バックル7にバックル挿通板９を嵌め込んで接合させる。
【００５９】
この状態で、一対の長ベルト体３の先端側部分のバックル7に、袋２の差込プレート１９を嵌め込んで、一対の長ベルト体３に袋２を吊り下げるのである。
【００６０】
そして、送電鉄塔の組み立て作業等の種々の高所作業現場においては、図４に示すように、作業員Ｓは胴ベルト１００を装着し、カラビナ１０１を身近に位置している部材に引っ掛けて墜落を防止した状態において、ベルト１を介して吊り下げている袋２からボルト・ナット等や工具類を取り出して、その組み付け作業等を行うのである。
【００６１】
尚、図１乃至図４に示すボルト・ナット等や工具類の落下防止用装着具は、ベルト１により袋２の２点を支持するものであるが、これに限定されることはなく、袋２の４点を支持する構造のものであっても差し支えない。以下に、この４点支持構造のボルト・ナット等や工具類の落下防止用装着具について詳述する。
【００６２】
４点支持構造のボルト・ナット等や工具類の落下防止用装着具は、図７に示すように、ハーネス式のベルト１を用いて袋２を作業員Ｓの前側に配置するものであり、ハーネス式のベルト１は、作業員Ｓの背中側で交差して作業員Ｓの両肩に掛ける一対の長ベルト体３により構成されている。これらの構成は、2点支持構造のものと同様である。
【００６３】
一対の長ベルト体３の先端側部分は、図７に示すように、作業員Ｓの両肩を越えて作業員Ｓの腹側に配置された状態で袋２の上部に連結している。また、一対の長ベルト体の後端側部分は、作業員Ｓの背中側から胴に巻き付くように作業員Ｓの腹側に配置された状態で袋２の下部に連結している。
【００６４】
さらに、図５に示すように、個々の長ベルト体３の先端部には、バックル7を設けている。また、個々の長ベルト体３の後端部にも、バックル７０を設けている。
【００６５】
そして、一対の長ベルト体３は、略Ｘ状に形成された背当てパット１０を介して、交差した状態を維持するように取り付けられている。この背当てパット１０は、図５に示すように、作業員Ｓの両肩に当てられる長尺な２個の保持片３１と、作業員Ｓの背中に当てられる短尺な２個の保持片３２を備えている。また、４個の保持片３１、３２の間は、幅広な方形状部３９を形成している。
【００６６】
それぞれの保持片３１、３２の長手方向に沿った両側には、いずれも略長方形状に形成された下方押さえ片３３と上方押さえ片３４を取り付けている。この下方押さえ片３３の下端縁部には、フック（ループ）状テープ３５を設けている。また、上方押さえ片３４の上端縁部にも、ループ（フック）状テープ３６を設けている。
【００６７】
そして、図５に示すように、背当てパット１０の保持片３１、３２に、交差している一対の長ベルト体３を宛がい、長ベルト体３の上に下方押さえ片３３と上方押さえ片３４を重ね合わせ、フック（ループ）状テープ３５、ループ（フック）状テープ３６同士を接合することにより、背当てパット１０の保持片３１、３２に交差している一対の長ベルト体３を取り付けるのである。
【００６８】
さらに、交差している一対の長ベルト体３は、図５に示すように、背当てパット１０の方形状部３９に設けられている挿通保持体１１を通過している。挿通保持体１１は、その上方に長尺な挿通孔３７を有し、下方に短尺な２個の挿通孔３８を隣設させている。２個の挿通孔３８は、その外端部がいずれも上方に若干位置して、傾いたような状態で隣設されている。
【００６９】
そして、傾いたような状態で隣設されている２個の挿通孔３８に個々の長ベルト体を通過させて、一対の長ベルト体３を交差させる。この交差した状態で、挿通孔３７にベルト体を通過させて、一対の長ベルト体３の交差した状態を維持するのである。この他、背当てパット１０には、２個の保持片３２の間に、略台形状の補強片４５を設けている。
【００７０】
また、図５に示すように、一方の長ベルト体３の先端側部分と、他方の長ベルト体の後端側部分を、それぞれ所定の長さの連設ベルト４０を介して接合している。接合の手段は、連設ベルト４０の両端部を、一方の長ベルト体の先端側部分と、他方の長ベルト体の後端側部分にそれぞれ縫着するものである。このようにして、一方の長ベルト体３の先端側部分、他方の長ベルト体３の後端側部分、連設ベルト４０のそれぞれにより所定の環状部分が形成され、ハーネス式のベルト１全体としては、背当てパット１０を介して左右に２個の環状部分を有することとなる。
【００７１】
さらに、一対の長ベルト体３の先端側部分には、自身の先端側部分同士を接合する補助ベルト５０を備えている。
【００７２】
補助ベルト５０は、一方の長ベルト体３の先端側部分に巻回して取り付けている短尺なベルト片５１と、他方の長ベルト体３の先端側部分に巻回して取り付けている長尺なベルト片５２により形成されている。短尺なベルト片５１の先端部には、バックル５３を設けている。また、長尺なベルト片５２の先端部には、バックル挿通爪片５４を設けている。
【００７３】
そして、短尺なベルト片５１のバックル５３に長尺なベルト片５２のバックル挿通爪片５４を嵌め入れて、一対の長ベルト体３の先端側部分を接合する補助ベルト５０とするのである。
【００７４】
このように構成されたハーネス式のベルト１を用いて作業員Ｓの前側に配置する袋２は、図６（ａ）に示すように、方形の箱状に形成されており、その開口部に、ファスナー１５を介して開閉可能に取り付けられている蓋１６を備えている。また、蓋１６には、フック（ループ）状テープ１７を縦方向に２枚設けている。さらに、袋２における前壁部にも、ループ（フック）状テープ１８を縦方向に２枚設けている。
【００７５】
この他、袋２は、側壁部における開口部近傍の後壁部寄りに、２個の差込プレート１９を上向きに取り付けている。差込プレート１９は、所定幅の挿通孔を有し、この挿通孔を通って折り返している接続片２０を介して袋２に固定されている。
【００７６】
また、側壁部における差込プレート１９の隣に、カラビナを装着するカラビナ通し部２１を取り付けている。このカラビナ通し部２１は、所定の帯片を折り返して形成している。
【００７７】
さらに、側壁部における開口部近傍の後壁部寄りに、２個のＤ状環２２を取り付けている。このＤ状環２２は、Ｄ状環２２内を通って折り返している接続片２３を介して袋２に固定されている。また、それぞれの側壁部には、所定のポケット２５を設けている。
【００７８】
この他、側壁部における底部近傍の後壁部寄りに、差込プレート２６を後ろ向きに設けている。差込プレート２６は所定幅の挿通孔を有し、この挿通孔を通って折り返している接続片２７を介して袋２の側壁部に固定されている。
【００７９】
また、差込プレート１９の接続片２０、カラビナ通し部２１、Ｄ状環２２の接続片２３のそれぞれの基端部に接合するようにして、長方形状の補強片２８を固定している。さらに、後壁部には、ベルト通し２９を２個設けている。このベルト通し２９は、所定のベルトを横方向に挿通させるものである。
【００８０】
袋２からボルト・ナット等や工具類を取り出すときは、図６（ｂ）に示すように、袋２の蓋１６を回動させて袋２の開口部を露出させた状態とする。そして、さらに蓋１６を回動させ、図６（ｃ）に示すように、蓋１６のフック（ループ）状テープ１７を袋２における前壁部のループ（フック）状テープ１８に接合させる。これにより、袋２の開口部が完全に露出した状態が維持される。
【００８１】
作業員Ｓがボルト・ナット等や工具類の落下防止用装着具を使用するときは、まず、ベルト１を背負い、背当てパット１０の２個の保持片３１を作業員のＳ両肩に当てるようにして、他の背当てパット１０の全体を作業員Ｓの背中側に配置する。そして、背当てパット１０を介して左右に２個形成されているそれぞれの環状部分から、作業員Ｓの両腕をそれぞれ突出させる。
【００８２】
また、図７に示すように、一対の長ベルト体３の先端側部分を、作業員Ｓの両肩を越えるようにして作業員Ｓの腹側に配置する。この状態で一対の長ベルト体３の先端側部分のバックル7に、袋２の上部おいて上向きに設けられている差込プレート１９を嵌め込んで、一対の長ベルト体３の先端側部分に袋２を吊り下げるのである。
【００８３】
さらに、一対の長ベルト体３の後端側部分は、作業員Ｓの背中側から胴に巻き付くように作業員Ｓの腹側に配置する。この状態で一対の長ベルト体３の後端側部分のバックル７０に、袋２の下部おいて後ろ向きに設けている差込プレート２６を嵌め込んで、袋２を作業員Ｓの前側に安定した状態で配置するのである。
【００８４】
そして、送電鉄塔の組み立て作業等の種々の高所作業現場においては、図７に示すように、作業員Ｓは胴ベルト１００を装着し、カラビナ１０１を身近に位置している部材に引っ掛けて墜落を防止した状態において、ベルト１を介して作業員Ｓの前側に安定した状態で配置している袋２からボルト・ナット等や工具類を取り出して、その組み付け作業等を行うのである。
【００８５】
この他、袋２には、図８・図１０に示すように、ボルト・ナット等を嵌め入れてボルト・ナット等の落下を防止する保持体６０を、紐状部６１を介して２個取り付けている。
【００８６】
この保持体６０は、図９（ａ）に示すように、ゴム材等の柔軟性素材を用いて筒状に形成されている。この筒状の開口部は、図９（ｂ）に示すように、ボルトＢにおける頭部の輪郭や、ナットの輪郭にほぼ合致した大きさを有している。具体的には、図９（ａ）に示すように、筒状の開口部には、開口部の拡がりを許容するために、直線状の切り込み部６３と円形状の切り欠き部６４を連設したものを開口部に対向するように２個設けている。
【００８７】
また、筒状の開口部には、内向きの突出片６５を設けている。そして、図８・図９（ｂ）に示すように、ボルトＢの頭部を保持体６０における筒状の開口部に押し込むようにして嵌め入れ、突出片６５にボルトＢの頭部を係合させてボルトＢの抜け落ちを防止するようにして、保持体６０にボルトＢを保持させているのである。
【００８８】
さらに、紐状部６１の基端部には、接続リング６２が取り付けられている。この接続リング６２を袋２のＤ状環２２に係合させて、袋２に紐状部６１を介して保持体６０を取り付けている。
【００８９】
そして、送電鉄塔の組み立て作業等の種々の高所作業現場においては、作業員Ｓが袋２内において保持体６０にボルトＢの頭部等をその筒状の開口部に押し込むようにして嵌め入れ、図１０に示すように、作業員Ｓが保持体６０を手に持って袋２の外に持ち出して、その組み付け作業等を行うのである。
【００９０】
このとき、作業員Ｓが誤って保持体６０を落としてしまった場合であっても、保持体６０が紐状部６１を介して袋２に取り付けられていることから、保持体６０の落下が阻止され、保持体６０に嵌め入れられているボルトＢ等が落下することがないのである。
【００９１】
この他、４点支持構造の工具の落下防止用装着具として、他の構成のものを以下に説明する。尚、既に説明した部分と同じ構成を有する部分には、同一の符号を付すことにより、その説明を省略している。
【００９２】
この工具の落下防止用装着具は、図１１に示すように、ハーネス式のベルト１を構成する一対の長ベルト体３が、図５に示すタイプのものより短く形成されている。
【００９３】
そして、個々の長ベルト体３の先端部には、バックル7を設けている。また、個々の長ベルト体３の後端部にも、バックル７０を設けている。さらに、一対の長ベルト体３は、略Ｘ状に形成された背当てパット１０を介して、交差した状態を維持するように取り付けられている。
【００９４】
また、図１１に示すように、一方の長ベルト体３の先端側部分と、他方の長ベルト体３の後端側部分を、連設ベルト４０を介して接合している。この連設ベルト４０の両端部は、一対の長ベルト体３を交差した状態に取り付けている背当てパット１０に近接した位置に縫着されている。
【００９５】
このようにして、一方の長ベルト体３の先端側部分、他方の長ベルト体の後端側部分、連設ベルト４０のそれぞれにより、比較的に小さめの環状部分が形成されている。
【００９６】
また、補助ベルト５０は、一方の長ベルト体３の先端側部分に巻回して取り付けている短尺なベルト片５１と、他方の長ベルト体３の先端側部分に巻回して取り付けている長尺なベルト片５２により形成されているが、両ベルト片５１、５２は、いずれも長ベルト体３の先端部に設けているバックル7に近い位置に固定されている。
【００９７】
すなわち、両ベルト片５１、５２は、長ベルト体３の先端側部分における連設ベルト４０との縫着部分よりも先に位置している。
【００９８】
尚、作業員Ｓがボルト・ナット等や工具類の落下防止用装着具を使用するときの、ハーネス式のベルト１を装着する手順、また、ハーネス式のベルト１に袋２を取り付ける手順は、前記した４点支持構造のものと同様であるので、その説明は省略する。
【産業上の利用可能性】
【００９９】
本発明は、作業員がボルト・ナット等や工具類を落下させてしまう事態の発生を確実に阻止すると共に、高所作業における作業効率を飛躍的に向上させることのできるボルト・ナット等や工具類の落下防止用装着具として、送電鉄塔の組み立て作業をはじめとして、種々の高所作業に幅広く利用されるものである。
【図面の簡単な説明】
【０１００】
【図１】２点支持構造のハーネス式のベルトの構成を示す正面図である。
【図２】背当てパットの構成を示す平面図である。
【図３】袋の構成を示す斜視図である。
【図４】作業員の作業状態を示す斜視図である。
【図５】４点支持構造のハーネス式のベルトの構成を示す背面図である。
【図６】袋の構成を示すもので、(ａ)は袋の蓋が閉じている状態を示す斜視図、(ｂ)は袋の蓋が開いている状態を示す側面、(ｃ)は蓋のフック（ループ）状テープを袋における前壁部のループ（フック）状テープに接合させている状態を示す側面である。
【図７】作業員の作業状態を示す斜視図である。
【図８】袋に保持体を取り付けている構成を示す斜視図である。
【図９】保持体の構成を示すもので、（ａ）は直線状の切り込み部と円形状の切り欠き部を連設したものを開口部に対向するように２個設けている状態を示す斜視図、（ｂ）はボルトの頭部を開口部に押し込むようにして嵌め入れ、内向きの突出片にボルトの頭部を係合させてボルトの抜け落ちを防止している状態を示す断面図である。
【図１０】２個の保持体を取り付けている袋を用いた作業員の作業状態を示す斜視図である。
【図１１】４点支持構造における他のハーネス式のベルトの構成を示す背面図である。
【図１２】作業員が胴ベルト型安全帯を装着し、作業員の背中側に配置されている腰袋に手を入れてボルト・ナット等や工具類を摘み取っている従来の作業状態を示す斜視図である。
【図１３】送電鉄塔等の所定の位置に袋が吊り下げられている状態を示す斜視図である。
【符号の説明】
【０１０１】
Ｓ…作業員
Ｂ…ボルト
１…ハーネス式のベルト
２…袋
３…長ベルト体
４…折り返しバックル
５…折り返し帯
６…ベルト通し
7…バックル
８…環状部
９…バックル挿通板
１０…背当てパット
１１…挿通保持体
１２…滑り止め片
１５…ファスナー
１６…蓋
１７…フック（ループ）状テープ
１８…ループ（フック）状テープ
１９…差込プレート
２０…接続片
２１…カラビナ通し部
２２…Ｄ状環
２３…接続片
２４…水抜き孔
２５…ポケット
２６…差込プレート
２７…接続片
２８…補強片
２９…ベルト通し
３１…保持片
３２…保持片
３３…下方押さえ片
３４…上方押さえ片
３５…フック（ループ）状テープ
３６…ループ（フック）状テープ
３７…挿通孔
３８…挿通孔
３９…方形状部
４０…連設ベルト
４５…補強片
５０…補助ベルト
５１…短尺なベルト片
５２…長尺なベルト片
５３…バックル
５４…バックル挿通爪片
６０…保持体
６１…紐状部
６２…接続リング
６３…切り込み部
６４…切り欠き部
６５…突出片
７０…バックル
１００…胴ベルト
１０１…カラビナ
１０２…ロープ
１０３…腰袋
１０４…ペンチケース
１０５…袋
【図１】
0005415024.tif 000002
【図２】
0005415024.tif 000003
【図３】
0005415024.tif 000004
【図４】
0005415024.tif 000005
【図５】
0005415024.tif 000006
【図６】
0005415024.tif 000007
【図７】
0005415024.tif 000008
【図８】
0005415024.tif 000009
【図９】
0005415024.tif 000010
【図１０】
0005415024.tif 000011
【図１１】
0005415024.tif 000012
【図１２】
0005415024.tif 000013
【図１３】
0005415024.tif 000014